(57)【要約】【課題】厚みや錠前の構造が異なる複数種類のドアに対して、容易に取り付けることが可能なハンドル錠を提供する。【解決手段】本発明は、ドア２の両壁面３、６１に設けられるハンドル座４、６２と、各ハンドル座４、６２に回転可能に支持されるハンドル５、６３と、ドア２を貫挿して各ハンドル座４、６２を連結する取付柱１８と、各ハンドル５、６３と回転一体に設けられるラッチバー６、６４と、を備えたハンドル錠１であって、各ハンドル座４、６２には、ドア２の両壁面３、６１に沿ってそれぞれ柱裏板７、６５が着脱可能に設けられ、各柱裏板７、６５に、取付柱１８の両端部が着脱可能に取り付けられるとともに、少なくとも一方の柱裏板７、６５に、ラッチバー６、６４が着脱可能且つ回転可能に支持されることを特徴とする。【選択図】図１
2012207364.tif 000002
【特許請求の範囲】
【請求項１】
ドアの両壁面に設けられるハンドル座と、該各ハンドル座に回転可能に支持されるハンドルと、前記ドアを貫挿して前記各ハンドル座を連結する取付柱と、前記各ハンドルと回転一体に設けられるラッチバーと、を備えたハンドル錠であって、
前記各ハンドル座には、前記ドアの両壁面に沿ってそれぞれ柱裏板が着脱可能に設けられ、該各柱裏板に、前記取付柱の両端部が着脱可能に取り付けられるとともに、少なくとも一方の柱裏板に、前記ラッチバーが着脱可能且つ回転可能に支持されることを特徴とするハンドル錠。
【請求項２】
前記ハンドル座には、前記ラッチバーの挿通部が設けられ、
前記各ハンドルには、前記挿通部のハンドル側開口部と対応する位置に、前記ラッチバーの端部が嵌脱可能なラッチバー嵌合部が設けられ、
前記ラッチバーには、前記柱裏板よりも前記ハンドル側の位置に、前記ラッチバーの嵌脱方向と交差する方向に突出する突起部が設けられ、
前記柱裏板には、前記挿通部のドア側開口部と対応する位置に、ラッチバー挿通穴が穿設され、
前記柱裏板の前記ラッチバー挿通穴の周囲に前記突起部が係止されることにより、前記ラッチバー嵌合部からの前記ラッチバーの端部の離脱が規制されることを特徴とする請求項１に記載のハンドル錠。
【請求項３】
前記取付柱には、一方の端部に外鍔状の係止部が設けられ、他方の端部に固定部が設けられ、
前記一方の柱裏板には取付柱貫挿穴が形成され、前記他方の柱裏板には取付柱挿入穴が形成され、
前記取付柱貫挿穴の周囲に前記係止部が係止されると共に前記取付柱挿入穴の周囲に前記固定部が固定されることにより、前記各ハンドル座が前記ドアの厚み分、離間した状態で連結されることを特徴とする請求項１又は２に記載のハンドル錠。
【発明の詳細な説明】
【技術分野】
【０００１】
本発明は、マンションやホテル等の建物のドアに用いられるハンドル錠に関する。
【背景技術】
【０００２】
従来、マンションやホテル等の建物のドアにおいては、ドアの室内側の壁面と室外側の壁面にそれぞれハンドル座を固定し、このハンドル座によりハンドルを回転可能に支持する「ハンドル錠」が、一般に用いられている。また、上記したハンドル座は、通常ドアの両壁面に対して着脱可能に設けられており、交換時等には取り外せるようになっている。
【０００３】
このようなハンドル錠では、通常、室内側又は室外側のいずれか一方のハンドル座に取付柱が着脱不能に固定されている。そして、この取付柱をドアに貫通させて他方のハンドル座に固定することで、ドアを挟み込むようにして、各ハンドル座がドアの両壁面にそれぞれ取り付けられる（特許文献１参照）。
【０００４】
また、ハンドル錠は、ハンドルに固定されたラッチバーを備えており、ハンドルの回転に伴ってラッチバーを回転させることで、このラッチバーに接続されたラッチボルト等の錠ボルトをドアの木口から出没させるように構成されている。
【先行技術文献】
【特許文献】
【０００５】
【特許文献１】特開２００９−２７０３９０号公報
【発明の概要】
【発明が解決しようとする課題】
【０００６】
上記のようなハンドル錠が交換時等に組み付けられるドアの厚みは、ドアの用途等により異なる。しかしながら、特許文献１のハンドル錠は、前述の如く取付柱が一方のハンドル座に着脱不能に固定されているため、その取付柱の長さに対応した１種類のドアにしか対応することができず、様々な厚みのドアに対応することができなかった。
【０００７】
また、ハンドル錠が交換時等に組み付けられるドアごとに錠前の構造が異なるため、ハンドル錠に必要とされるラッチバーの形状、個数、長さ等もドアごとに異なる。しかしながら、従来のハンドル錠は、１種類のラッチバーのみしか用いることができず、これに伴って、１種類の錠前にしか対応することができないため、様々な錠前を有するドアに対応することができなかった。
【０００８】
そこで、本発明は上記の事情を考慮し、厚みや錠前の構造が異なる複数種類のドアに対して、容易に取り付けることが可能なハンドル錠を提供することを目的とする。
【課題を解決するための手段】
【０００９】
本発明に係るハンドル錠は、ドアの両壁面に設けられるハンドル座と、該各ハンドル座に回転可能に支持されるハンドルと、前記ドアを貫挿して前記各ハンドル座を連結する取付柱と、前記各ハンドルと回転一体に設けられるラッチバーと、を備えたハンドル錠であって、前記各ハンドル座には、前記ドアの両壁面に沿ってそれぞれ柱裏板が着脱可能に設けられ、該各柱裏板に、前記取付柱の両端部が着脱可能に取り付けられるとともに、少なくとも一方の柱裏板に、前記ラッチバーが着脱可能且つ回転可能に支持されることを特徴とする。
【００１０】
また、本発明に係るハンドル錠は、前記ハンドル座には、前記ラッチバーの挿通部が設けられ、前記各ハンドルには、前記挿通部のハンドル側開口部と対応する位置に、前記ラッチバーの端部が嵌脱可能なラッチバー嵌合部が設けられ、前記ラッチバーには、前記柱裏板よりも前記ハンドル側の位置に、前記ラッチバーの嵌脱方向と交差する方向に突出する突起部が設けられ、前記柱裏板には、前記挿通部のドア側開口部と対応する位置に、ラッチバー挿通穴が穿設され、前記柱裏板の前記ラッチバー挿通穴の周囲に前記突起部が係止されることにより、前記ラッチバー嵌合部からの前記ラッチバーの端部の離脱が規制されても良い。
【００１１】
また、本発明に係るハンドル錠は、前記取付柱には、一方の端部に外鍔状の係止部が設けられ、他方の端部に固定部が設けられ、前記一方の柱裏板には取付柱貫挿穴が形成され、前記他方の柱裏板には取付柱挿入穴が形成され、前記取付柱貫挿穴の周囲に前記係止部が係止されると共に前記取付柱挿入穴の周囲に前記固定部が固定されることにより、前記各ハンドル座が前記ドアの厚み分、離間した状態で連結されても良い。
【発明の効果】
【００１２】
本発明によれば、厚みや錠前の構造が異なる複数種類のドアに対して、容易に取り付けることが可能なハンドル錠を提供することが可能となる。
【図面の簡単な説明】
【００１３】
【図１】本発明の一実施形態に係るハンドル錠を示す平断面図である。
【図２】図１のＡ―Ａ断面図である。
【図３】本発明の一実施形態に係るハンドル錠において、室外側ハンドル座を示す背面図である。
【図４】本発明の一実施形態に係るハンドル錠において、室外側ハンドルを示す背面図である。
【図５】本発明の一実施形態に係るハンドル錠において、室外側柱裏板を示す背面図である。
【図６】本発明の一実施形態に係るハンドル錠において、室外側ストッパー板を示す背面図である。
【図７】本発明の一実施形態に係るハンドル錠において、室内側ハンドル座を示す背面図である。
【図８】本発明の一実施形態に係るハンドル錠において、室内側ハンドルを示す背面図である。
【図９】本発明の一実施形態に係るハンドル錠において、室内側柱裏板を示す背面図である。
【発明を実施するための形態】
【００１４】
以下、図面に基づき、本発明に係るハンドル錠１の好適な実施形態について説明する。まず、ハンドル錠１のうち、ドア２の室外側（図１、図２における左側）に設けられた部材について説明する。なお、説明の便のため、図１、図２における左側を、ドア２の室外側に設けられた部材の正面側（前側）とし、図１、図２における右側を、ドア２の室外側に設けられた部材の背面側（後側）とする。
【００１５】
図１、図２に示されるように、ドア２の室外側には、ドア２の外壁面３に設けられた室外側ハンドル座４と、室外側ハンドル座４に回転可能に支持される室外側ハンドル５と、室外側ハンドル５の後部に装着される上下一対の室外側ラッチバー６と、室外側ハンドル座４の後部に固定される室外側柱裏板７と、室外側柱裏板７の後面に当接する室外側ストッパー板８と、が設けられている。
【００１６】
室外側ハンドル座４には挿通部１０が水平方向に穿設されており、室外側ハンドル座４は円環状を成している。図３に最も良く示されるように、室外側ハンドル座４の後端部には、上部中央と下部両側に、３個の取付台座部１１が内方に向かって突設されており、各取付台座部１１には、取付雌ネジ部１２が前方に向かって凹設されている。
【００１７】
室外側ハンドル座４の後端部には、左右一対の支持台座部１３が内方に向かって突設されている。各支持台座部１３は、ドア２の外壁面３と略垂直に設けられた一方平面部１５と、一方平面部１５の外側に設けられた回り止め突起１６と、を備えている。
【００１８】
図１に示されるように、各支持台座部１３には、ドア２の貫通穴１７を貫挿する取付柱１８の室外側の端部が係合している。取付柱１８の室外側の端部には、外鍔状の係止部１９が設けられている。係止部１９には他方平面部２０が設けられており、この他方平面部２０を、室外側ハンドル座４に設けられた一方平面部１５に当接又は近接させることで、取付柱１８の回転が規制されている。
【００１９】
室外側ハンドル５は、室外側ハンドル座４にハンドルブッシュ２１を介して軸支されるハンドル軸２２と、このハンドル軸２２から外壁面３と平行に延設される把手部２３と、を備えており、Ｌ字状を成している。
【００２０】
ハンドル軸２２には、シリンダー錠収納部２４が水平方向に設けられている。シリンダー錠収納部２４の前端には、前端突部用挿通穴２５が穿設されている。シリンダー錠収納部２４には、円柱状のシリンダー錠２６が横向きに収納されている。シリンダー錠２６の前端には前端突部２７が設けられており、この前端突部２７は、ハンドル軸２２の前端突部用挿通穴２５を介して、ハンドル軸２２の前面に露出している。シリンダー錠２６には、前端突部２７の前面から後方に向かって鍵穴（図示せず）が設けられている。
【００２１】
シリンダー錠２６の後方には、室外側ハンドル座４の挿通部１０にクラッチ３０が配置されている。クラッチ３０の後端には、キーバー３１の室外側の端部が取り付けられている。キーバー３１は、ドア２の貫通穴１７を貫挿している。キーバー３１は、ドア２の木口に出没可能に設けられたデッドボルト（図示せず）とロック機構（図示せず）を介して接続されている。そして、シリンダー錠２６の鍵穴に挿入した鍵を回転させることで、クラッチ３０、キーバー３１及びロック機構を介してデッドボルトが進退し、デッドボルトがドア２の木口から出没するように構成されている。
【００２２】
ハンドル軸２２の後端部には、挿通部１０のハンドル側開口部３２と対応する位置にラッチバー嵌合部３３が設けられている。図４に示されるように、ラッチバー嵌合部３３は、シリンダー錠収納部２４の開口縁に沿ってハンドル軸２２の後端面に設けられた上下一対の弧状突当面３４と、上下一対の弧状突当面３４の外周に沿ってハンドル軸２２の後端面から後方に向かって突設された上下一対のガイド枠３５と、を備えている。ガイド枠３５の左右方向中央には切欠部３６が設けられている。
【００２３】
各室外側ラッチバー６は、前後方向に長い板状を成しており、幅方向（左右方向）において弧状に湾曲している（図４参照）。各室外側ラッチバー６の前端部は、ハンドル軸２２のラッチバー嵌合部３３に嵌合可能となっている。各室外側ラッチバー６は、ドア２の木口に出没可能に設けられたラッチボルト（図示せず）と進退機構（図示せず）を介して接続されており、室外側ハンドル５を回転させることで、室外側ラッチバー６及び進退機構を介してラッチボルトが進退し、ラッチボルトがドア２の木口から出没するように構成されている。
【００２４】
図２に示されるように、各室外側ラッチバー６は、クラッチ３０の外周に沿って設けられている。各室外側ラッチバー６の前後方向中央部には、室外側柱裏板７よりも室外側ハンドル５側（前側）の位置に突起部３７が形成されている。突起部３７は、各室外側ラッチバー６の壁面に各室外側ラッチバー６の幅方向に沿って切れ目を入れ、この切れ目の前側の部分を外側に屈曲することにより形成されており、室外側ラッチバー６の嵌脱方向（前後方向）と交差する方向に突出している。突起部３７は、室外側ラッチバー６の前端部がラッチバー嵌合部３３に嵌合された状態で、ラッチバー嵌合部３３のガイド枠３５の切欠部３６に挿入されるようになっている（図４参照）。
【００２５】
各室外側ラッチバー６の後部には、段差状の屈曲部３８が設けられ、屈曲部３８の後方には、屈曲部３８よりも幅狭の延出片４０が設けられている。各室外側ラッチバー６の外周には、バネ受け４１に支持されてハンドルバネ４２が設けられている。
【００２６】
図５に示されるように、室外側柱裏板７には、室外側ラッチバー６が挿通されるラッチバー挿通穴４３が中央に設けられており、室外側柱裏板７は円環状を成している。ラッチバー挿通穴４３は、室外側ハンドル座４の挿通部１０のドア側開口部４４と対応する位置に形成されている（図２参照）。
【００２７】
室外側柱裏板７の外側部には、上部中央と下部両側に取付ネジ穴４５が穿設され、室外側柱裏板７の外縁部には、左右一対の回り止め溝部４６が設けられている。そして、室外側ハンドル座４の回り止め突起１６に回り止め溝部４６を係合させた状態で、取付ネジ穴４５に貫挿させた取付ネジ４７（図２参照）を室外側ハンドル座４の取付雌ネジ部１２に螺合させることにより、室外側柱裏板７が室外側ハンドル座４に固定されるように構成されている。室外側柱裏板７には、各回り止め溝部４６の内側に、左右一対の取付柱貫挿穴４８が穿設され、各取付柱貫挿穴４８には取付柱１８が貫挿している。
【００２８】
室外側ストッパー板８は、室外側柱裏板７の後面に前面を密着させている（図１、図２参照）。図６に示されるように、室外側ストッパー板８の外縁部には、左右一対の回り止め溝部５０が設けられている。そして、室外側ハンドル座４の回り止め突起１６に回り止め溝部５０を係合させることで、室外側ストッパー板８の室外側ハンドル座４に対する回転が規制されるように構成されている。室外側ストッパー板８には、各回り止め溝部５０の内側に、左右一対の取付柱貫挿穴５１が穿設され、各取付柱貫挿穴５１には取付柱１８が挿通されている。
【００２９】
室外側ストッパー板８の中央には回転規制穴５２が設けられ、この回転規制穴５２に、各室外側ラッチバー６の後部が挿入されている。回転規制穴５２の外周には、一対の回転規制片５３が内側に向かって突設されている。そして、室外側ハンドル５の回転に伴って各室外側ラッチバー６が回転すると、各室外側ラッチバー６の幅方向の両側部が回転規制片５３に当接して、各室外側ラッチバー６の回転が規制されるように構成されている。室外側ストッパー板８には、複数の丸穴５４が穿設されている。
【００３０】
次に、ハンドル錠１のうち、ドア２の室内側（図１、図２における右側）に設けられた部材について説明する。なお、説明の便のため、図１、図２における右側を、ドア２の室内側に設けられた部材の正面側（前側）とし、図１、図２における左側を、ドア２の室内側に設けられた部材の背面側（後側）とする。
【００３１】
図１、図２に示されるように、ドア２の室内側には、ドア２の内壁面６１に設けられる室内側ハンドル座６２と、室内側ハンドル座６２に回転可能に支持される室内側ハンドル６３と、室内側ハンドル６３の後部に装着される上下一対の室内側ラッチバー６４と、室内側ハンドル座６２の後部に固定される室内側柱裏板６５と、室内側柱裏板６５の後面に当接する室内側ストッパー板６６と、が設けられている。
【００３２】
室内側ハンドル座６２には挿通部６７が水平方向に穿設されており、室内側ハンドル座６２は円環状を成している。図７に示されるように、室内側ハンドル座６２の上部と下部には、上下一対の固定台座部６８が内方に向かって突設され、各固定台座部６８には固定ネジ穴７０が水平方向に穿設されている。室内側ハンドル座６２の後部には、左右一対の回り止め突起７１が内方に向かって突設されている。
【００３３】
室内側ハンドル６３は、室内側ハンドル座６２にハンドルブッシュ７３を介して軸支されるハンドル軸７４と、このハンドル軸７４から内壁面６１と平行に延設された把手部７５と、を備えてＬ字状を成している。
【００３４】
ハンドル軸７４には、サムターン挿通穴７６が水平方向に設けられており、サムターン挿通穴７６には、サムターン７７が水平方向に挿通されている。サムターン７７には、キーバー３１の室内側の端部が接続されており、サムターン７７を回転させることで、キーバー３１及びロック機構（図示せず）を介してデッドボルト（図示せず）が進退し、デッドボルトがドア２の木口から出没するように構成されている。
【００３５】
ハンドル軸７４の後端部には、挿通部６７のハンドル側開口部７２と対応する位置にラッチバー嵌合部８０が設けられている。図８に示されるように、ラッチバー嵌合部８０は、サムターン挿通穴７６の開口縁に沿ってハンドル軸７４の後端面に設けられた上下一対の弧状突当面８１と、弧状突当面８１の外周に沿ってハンドル軸７４の後端面から後方に向かって突設された上下一対のガイド枠８２と、を備えている。ガイド枠８２の左右方向中央部には切欠部８３が設けられている。
【００３６】
各室内側ラッチバー６４は、前後方向に長い板状を成しており、幅方向（左右方向）において弧状に湾曲している（図８参照）。各室内側ラッチバー６４の前端部は、ハンドル軸７４のラッチバー嵌合部８０に嵌合可能となっている。室内側ラッチバー６４は、ドア２の木口に出没可能に設けられたラッチボルトと進退機構（図示せず）を介して接続されており、室内側ハンドル６３を回転させることで、室内側ラッチバー６４及び進退機構を介してラッチボルトが進退し、ラッチボルトがドア２の木口から出没するように構成されている。
【００３７】
図２に示されるように、各室内側ラッチバー６４は、サムターン７７の外周に沿って設けられている。各室内側ラッチバー６４の前後方向中央部には、室内側柱裏板６５よりも室内側ハンドル６３側（前側）の位置に突起部８４が形成されている。突起部８４は、各室内側ラッチバー６４の壁面に各室内側ラッチバー６４の幅方向に沿って切れ目を入れ、この切れ目の前側の部分を外側に屈曲することにより形成されており、各室内側ラッチバー６４の嵌脱方向（前後方向）と交差する方向に突出している。突起部８４は、各室内側ラッチバー６４がラッチバー嵌合部８０に嵌合された状態で、ラッチバー嵌合部８０のガイド枠８２の切欠部８３に挿入されるようになっている（図８参照）。各室内側ラッチバー６４の後部には、室内側ラッチバー６４の前部及び前後方向中央部よりも幅狭の延出片８５が設けられている。各室内側ラッチバー６４の外周には、バネ受け９７に支持されてハンドルバネ９６が設けられている。
【００３８】
室内側柱裏板６５は、室外側柱裏板７よりも厚肉に形成されている（図１、図２参照）。図９に示されるように、室内側柱裏板６５には、室内側ラッチバー６４が挿通されるラッチバー挿通穴８６が中央に設けられており、室内側柱裏板６５は円環状を成している。ラッチバー挿通穴８６は、室内側ハンドル座６２の挿通部６７のドア側開口部８７に対応する位置に形成されている。
【００３９】
室内側柱裏板６５の外側部分には、上部と下部に固定ネジ穴８８が穿設され、室内側柱裏板６５の外縁部には、左右一対の回り止め溝部９０が設けられている。そして、室内側ハンドル座６２の回り止め突起７１に回り止め溝部９０を係合させた状態で、室内側ハンドル座６２の固定ネジ穴７０に貫挿させた固定ネジ９１（図２参照）を固定ネジ穴８８に螺合させることにより、室内側柱裏板６５が室内側ハンドル座６２に固定されている。
【００４０】
室内側柱裏板６５には、各回り止め溝部９０の内側に、左右一対の取付柱挿入穴９２が穿設されている。各取付柱挿入穴９２は、室内側柱裏板６５が室外側柱裏板７よりも厚肉に形成されているのに伴って、室外側柱裏板７の取付柱貫通穴４８よりも左右方向に長く形成されている（図１参照）。各取付柱挿入穴９２の前端部には、テーパー状の座ぐり部９８が設けられている。
【００４１】
各取付柱挿入穴９２には取付柱１８の室内側の端部に設けられた固定部９５が挿入されている（図１参照）。取付柱１８の室内側の端面には、雌ネジ部９３が凹設されており、取付柱挿入穴９２に挿入した締結ネジ９４を雌ネジ部９３に螺合させることで、室内側柱裏板６５と取付柱１８が締結されている。締結ネジ９４のネジ頭９９は、各取付柱挿入穴９２の座ぐり部９８に係止されている。室内側柱裏板６５の外側部分には、対角位置に一対の凸部８９が設けられている。
【００４２】
室内側ストッパー板６６は、室内側柱裏板６５の後面に前面を密着させている。室内側ストッパー板６６の構成については、室外側ストッパー板８の構成と同様であるため、説明を省略する。
【００４３】
上記の如く構成されたものにおいて、ハンドル錠１の交換時等に、ハンドル錠１をドア２に対して組み付ける手順の一例について説明する。なお、室外側ハンドル５は室外側ハンドル座４にすでに回転可能に支持され、室内側ハンドル６３は室内側ハンドル座６２にすでに回転可能に支持されていることを前提に説明を行う。
【００４４】
まず、ハンドル錠１が取り付けられるドア２の錠前の構造に適合する個数、長さ及び形状の室外側ラッチバー６を用意し、各室外側ラッチバー６の前端部を、室外側ハンドル５のラッチバー嵌合部３３に嵌合させる。次に、室外側柱裏板７の取付柱挿通穴４８に、ドア２の厚みに適合した長さの取付柱１８を貫挿し、取付柱１８の係止部１９を室外側ハンドル座４の支持台座部１３に係合させる。そして、室外側柱裏板７の取付ネジ穴４５に貫挿した取付ネジ４７を、室外側ハンドル座４の取付雌ネジ部１２に螺合させる。これにより、室外側柱裏板７が室外側ハンドル座４に固定される。
【００４５】
この室外側柱裏板７の室外側ハンドル座４への固定に伴って、室外側ラッチバー６が室外側柱裏板７のラッチバー挿通穴４３に挿通され、室外側柱裏板７のラッチバー挿通穴４３の周囲に室外側ラッチバー６の突起部３７が係止される（図２参照）。これにより、ラッチバー嵌合部３３からの室外側ラッチバー６の前端部の離脱が規制され、各室外側ラッチバー６が、室外側柱裏板７に着脱可能且つ回転可能に支持される。
【００４６】
次に、室外側ストッパー板８の取付柱貫挿穴５１に取付柱１８を挿通させて、室外側ストッパー板８の表面を室外側柱裏板７の裏面に密接させる。この状態で、取付柱１８をドア２の貫通穴１７に貫挿させる。そして、取付柱１８の固定部９５を、室内側ストッパー板６６の取付柱挿通穴に挿通させるとともに室内側柱裏板６５の取付柱挿入穴９２に挿入する。そして、この取付柱挿入穴９２に締結ネジ９４を挿入し、取付柱１８の雌ネジ部９３に締結ネジ９４を螺合させる。これにより、室外側柱裏板７の取付柱貫挿穴４８の周囲に取付柱１８の係止部１９が係止されると共に、室内側柱裏板６５の取付柱挿入穴９２の周囲に取付柱１８の固定部９５が固定され、各ハンドル座４、６２がドア２の厚み分、離間した状態で連結される。これに伴って、室外側ハンドル座４及び室外側ハンドル５がドア２の外壁面３に固定される。
【００４７】
次に、ハンドル錠１が取り付けられるドア２の錠前の構造に適合する個数、長さ及び形状の室内側ラッチバー６４を用意し、各室外側ラッチバー６４の前端部を、室内側ハンドル６３のラッチバー嵌合部８０に嵌合させる。そして、室内側ハンドル座６２を室内側柱裏板６５に被せて、室内側ハンドル座６２の固定ネジ穴７０に貫挿した固定ネジ９１を、室内側柱裏板６５の固定ネジ穴８８に螺合させる。これにより、室内側ハンドル座６２及び室外側ハンドル６３がドア２の内壁面６１に固定され、ハンドル錠１のドア２に対する組付けが完了する。
【００４８】
また、室外側ハンドル座６２の室内側柱裏板６５への固定に伴って、室内側ラッチバー６４が室内側柱裏板６５のラッチバー挿通穴８６に挿通され、室内側柱裏板６５のラッチバー挿通穴８６の周囲に室内側ラッチバー６４の突起部８４が係止される（図２参照）。これにより、ラッチバー嵌合部８０からの室内側ラッチバー６４の前端部の離脱が規制され、各室内側ラッチバー６４が、室内側柱裏板６５に着脱可能且つ回転可能に支持される。
【００４９】
本実施形態では上記のように、取付柱１８の両端部が各柱裏板７、６５に対して着脱可能に取り付けられるとともに、各柱裏板７、６５に、各ラッチバー６、６４が着脱可能且つ回転可能に支持されている。このような構成を採用することにより、ドア２の厚みに応じた長さの取付柱１８を選択的に使用したり、錠前の構造に適合した個数、形状及び長さのラッチバー６、６４を選択的に使用したりすることが可能となる。そのため、様々な種類のドア２に対応可能なハンドル錠１を提供することが可能となる。
【００５０】
また、室外側柱裏板７のラッチバー挿通穴４３の周囲に室外側ラッチバー６の突起部３７が係止されるとともに、室内側柱裏板６５のラッチバー挿通穴８６の周囲に室内側ラッチバー６４の突起部８４が係止されている。このような構成を採用することで、各ラッチバー６、６４に突起部３７、８４を設けるだけの簡易な構成で、各ラッチバー６、６４の各ラッチバー嵌合部３３、８０からの離脱を防止することが可能となる。
【００５１】
また、室外側柱裏板７の取付柱貫挿穴４８の周囲に取付柱１８の係止部１９が係止されると共に、室内側柱裏板６５の取付柱挿入穴９２の周囲に取付柱１８の固定部９５が固定される構成であるため、簡易な構成で取付柱１８を各柱裏板７、６５と連結させることが可能となるとともに、取付柱１８と各柱裏板７、６５の着脱を容易に行うことが可能となる。
【００５２】
本実施形態では、上下一対のラッチバー６、６４を各ハンドル５、６３のラッチバー嵌合部３３、８０に嵌合する場合について説明したが、他の異なる実施形態では、ドア２の錠前の構造に対応して、上側のラッチバー６、６４だけを各ハンドル５、６３の各ラッチバー嵌合部３３、８０に嵌合させたり、下側のラッチバー６、６４だけを各ハンドル５、６３の各ラッチバー嵌合部３３、８０に嵌合させたりすることも可能である。また、本実施形態では、取付柱１８を２本用いる場合について説明したが、他の異なる実施形態では、１本又は３本以上の取付柱１８を用いることも可能である。
【００５３】
本実施形態では、室外側ラッチバー６として段差状の屈曲部３８を有するラッチバーを使用し、室外側ラッチバー６４として屈曲部３８を有しない直線状のラッチバーを使用したが、他の異なる実施形態では、ドア２の錠前の構造に対応して、室外側ラッチバー６及び室内側ラッチバー６４の両方に段差状の屈曲部３８を有するラッチバーを使用したり、室外側ラッチバー６及び室内側ラッチバー６４の両方に屈曲部３８を有しない直線状のラッチバーを使用したりすることも可能である。
【００５４】
本実施形態では、室外側ハンドル５とシリンダー錠２６が一体化され、室内側ハンドル６３とサムターン７７が一体化されたハンドル錠１に本発明を適用する場合について説明したが、他の異なる実施形態では、室外側ハンドル５とシリンダー錠２６が別体のハンドル錠１や、室内側ハンドル６３とサムターン７７が別体のハンドル錠１に本発明を適用しても良い。
【００５５】
本実施形態では、室外側ハンドル５のラッチバー嵌合部３３に室外側ラッチバー６を嵌合し、室外側ハンドル５をドア２の外壁面３に固定した後に、室内側ハンドル６３のラッチバー嵌合部８０に室内側ラッチバー６４を嵌合する場合を例に説明したが、ハンドル錠１のドア２への組み付け手順はこれには限られず、例えば、予め各ハンドル５、６３のラッチバー嵌合部３３、８０に各ラッチバー６、６４を嵌合させておいてから、ハンドル錠１をドア２に対して組み付けても良い。
【符号の説明】
【００５６】
１  ハンドル錠
２  ドア
３  外壁面
４  室外側ハンドル座
５  室外側ハンドル
６  室外側ラッチバー
７  室外側柱裏板
１０  挿通部
１８  取付柱
１９  係止部
３２  ハンドル側開口部
３３  ラッチバー嵌合部
３７  突起部
４３  ラッチバー挿通穴
４４  ドア側開口部
４８  取付柱貫挿穴
６１  内壁面
６２  室内側ハンドル座
６３  室内側ハンドル
６４  室内側ラッチバー
６５  室内側柱裏板
６７  挿通部
７２  ハンドル側開口部
８０  ラッチバー嵌合部
８４  突起部
８６  ラッチバー挿通穴
８７  ドア側開口部
９２  取付柱挿入穴
９５  固定部
【図１】
2012207364.tif 000003
【図２】
2012207364.tif 000004
【図３】
2012207364.tif 000005
【図４】
2012207364.tif 000006
【図５】
2012207364.tif 000007
【図６】
2012207364.tif 000008
【図７】
2012207364.tif 000009
【図８】
2012207364.tif 000010
【図９】
2012207364.tif 000011